【手続補正書】
【提出日】平成15年12月19日(2003.12.19)
【手続補正１】
【補正対象書類名】明細書
【補正対象項目名】発明の名称
【補正方法】変更
【補正の内容】
【発明の名称】ネットワークにおけるディジタルデータの著作権検査装置及び著作権検査プログラムを記録したコンピュータ読取可能な媒体
【手続補正２】
【補正対象書類名】明細書
【補正対象項目名】特許請求の範囲
【補正方法】変更
【補正の内容】
【特許請求の範囲】
【請求項１】
ネットワーク上でディジタルデータを提供するデータ提供手段と、該データ提供手段により提供されるディジタルデータから著作権情報を取り出し、取り出された著作権情報に基づいて前記ディジタルデータの著作権を検査する著作権検査手段と、を含んで構成され、１つの前記データ提供手段から参照先のデータ提供手段への参照を可能にするハイパーリンクが設定されたネットワークにおけるディジタルデータの著作権検査装置であって、
前記著作権検査手段によりディジタルデータの著作権が検査されたときに、該ディジタルデータを提供する前記データ提供手段からハイパーリンク情報を取り出すハイパーリンク情報取出手段と、該ハイパーリンク情報取出手段により取り出されたハイパーリンク情報が特定する前記参照先のデータ提供手段に対して、前記著作権検査手段を再帰的に起動させる再帰的起動手段と、を含んで構成されたことを特徴とするネットワークにおけるディジタルデータの著作権検査装置。
【請求項２】
前記再帰的起動手段により前記著作権検査手段が起動されたときに、著作権が検査されたディジタルデータを提供する前記データ提供手段を記録する起動記録手段を備え、
前記再帰的起動手段は、前記起動記録手段に記録されているデータ提供手段に対して、前記著作権検査手段の起動をスキップさせる構成である請求項１記載のネットワークにおけるディジタルデータの著作権検査装置。
【請求項３】
前記著作権検査手段により著作権が検査されたディジタルデータの属性を記録する属性記録手段と、該著作権検査手段により著作権が検査されるディジタルデータの属性を取り出す属性取出手段と、を備え、
前記著作権検査手段は、前記属性取出手段により取り出された属性と、前記属性記録手段に記録されている属性と、が不一致のときに、前記ディジタルデータの著作権を検査する構成である請求項１又は２に記載のネットワークにおけるディジタルデータの著作権検査装置。
【請求項４】
予め設定されたスケジュールに従って、前記著作権検査手段を自動的に起動する自動起動手段を備えた構成である請求項１〜３のいずれか１つに記載のネットワークにおけるディジタルデータの著作権検査装置。
【請求項５】
コンピュータに、
ネットワーク上でディジタルデータを提供するデータ提供機能と、該データ提供機能により提供されるディジタルデータから著作権情報を取り出し、取り出された著作権情報に基づいて前記ディジタルデータの著作権を検査する著作権検査機能と、を含んで構成され、１つの前記データ提供機能から参照先のデータ提供機能への参照を可能にするハイパーリンクが設定されたネットワークにおけるディジタルデータの著作権検査プログラムが記録された媒体であって、
前記著作権検査機能によりディジタルデータの著作権が検査されたときに、該ディジタルデータを提供する前記データ提供機能からハイパーリンク情報を取り出すハイパーリンク情報取出機能と、該ハイパーリンク情報取出機能により取り出されたハイパーリンク情報が特定する前記参照先のデータ提供機能に対して、前記著作権検査機能を再帰的に起動させる再帰的起動機能と、を実現するためのネットワークにおけるディジタルデータの著作権検査プログラムが記録されたコンピュータ読取可能な媒体。
【請求項６】
前記再帰的起動機能により前記著作権検査機能が起動されたときに、著作権が検査されたディジタルデータを提供する前記データ提供機能を記録する起動記録機能を備え、
前記再帰的起動機能は、前記起動記録機能に記録されているデータ提供機能に対して、前記著作権検査機能の起動をスキップさせる構成である請求項５記載のネットワークにおけるディジタルデータの著作権検査プログラムを記録したコンピュータ読取可能な媒体。
【請求項７】
前記著作権検査機能により著作権が検査されたディジタルデータの属性を記録する属性記録機能と、該著作権検査機能により著作権が検査されるディジタルデータの属性を取り出す属性取出機能と、を備え、
前記著作権検査機能は、前記属性取出機能により取り出された属性と、前記属性記録機能に記録されている属性と、が不一致のときに、前記ディジタルデータの著作権を検査する構成である請求項５又は６に記載のネットワークにおけるディジタルデータの著作権検査プログラムを記録したコンピュータ読取可能な媒体。
【請求項８】
予め設定されたスケジュールに従って、前記著作権検査機能を自動的に起動する自動起動機能を備えた構成である請求項５〜７のいずれか１つに記載のネットワークにおけるディジタルデータの著作権検査プログラムを記録したコンピュータ読取可能な媒体。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項５記載の発明は、コンピュータに、ネットワーク上でディジタルデータを提供するデータ提供機能と、該データ提供機能により提供されるディジタルデータから著作権情報を取り出し、取り出された著作権情報に基づいて前記ディジタルデータの著作権を検査する著作権検査機能と、を含んで構成され、１つの前記データ提供機能から参照先のデータ提供機能への参照を可能にするハイパーリンクが設定されたネットワークにおけるディジタルデータの著作権検査プログラムが記録された媒体であって、前記著作権検査機能によりディジタルデータの著作権が検査されたときに、該ディジタルデータを提供する前記データ提供機能からハイパーリンク情報を取り出すハイパーリンク情報取出機能と、該ハイパーリンク情報取出機能により取り出されたハイパーリンク情報が特定する前記参照先のデータ提供機能に対して、前記著作権検査機能を再帰的に起動させる再帰的起動機能と、を実現するための著作権検査プログラムを媒体に記録した。


【手続補正１１】
【補正対象書類名】明細書
【補正対象項目名】００２２
【補正方法】変更
【補正の内容】
【００２２】
請求項６記載の発明は、前記再帰的起動機能により前記著作権検査機能が起動されたときに、著作権が検査されたディジタルデータを提供する前記データ提供機能を記録する起動記録機能を備え、前記再帰的起動機能は、前記起動記録機能に記録されているデータ提供機能に対して、前記著作権検査機能の起動をスキップさせる構成とした。


【手続補正１２】
【補正対象書類名】明細書
【補正対象項目名】００２４
【補正方法】変更
【補正の内容】
【００２４】
請求項７記載の発明は、前記著作権検査機能により著作権が検査されたディジタルデータの属性を記録する属性記録機能と、該著作権検査機能により著作権が検査されるディジタルデータの属性を取り出す属性取出機能と、を備え、前記著作権検査機能は、前記属性取出機能により取り出された属性と、前記属性記録機能に記録されている属性と、が不一致のときに、前記ディジタルデータの著作権を検査を行う構成とした。


【手続補正１３】
【補正対象書類名】明細書
【補正対象項目名】００２６
【補正方法】変更
【補正の内容】
【００２６】
請求項８記載の発明は、予め設定されたスケジュールに従って、前記著作権検査機能を自動的に起動する自動起動機能を備えた構成とした。
かかる構成によれば、予め設定されたスケジュールに従って、著作権検査機能が自動的に起動される。従って、ディジタルデータの著作権の検査が、自動的に行われることとなり、検査を行うユーザの手間が軽減する。


【手続補正１４】
【補正対象書類名】明細書
【補正対象項目名】００５５
【補正方法】変更
【補正の内容】
【００５５】
【発明の効果】
以上説明したように、請求項１記載の発明によれば、ネットワーク上で提供されるディジタルデータの著作権を自動的に検査することができる。
請求項２又は請求項６に記載の発明によれば、処理が無限ループに陥ることが防止され、ディジタルデータの著作権の検査がいつまでも終了しないという不具合を回避することができる。


【手続補正１５】
【補正対象書類名】明細書
【補正対象項目名】００５６
【補正方法】変更
【補正の内容】
【００５６】
請求項３又は請求項７に記載の発明によれば、改変等が行われていないディジタルデータに対する著作権の検査が行われないようにすることで、検査効率を向上することができる。
請求項４又は請求項８に記載の発明によれば、ディジタルデータの著作権を検査するユーザの手間を軽減することができる。


【手続補正１６】
【補正対象書類名】明細書
【補正対象項目名】００５７
【補正方法】変更
【補正の内容】
【００５７】
請求項５記載の発明によれば、請求項１記載の発明の効果に加え、本発明に係るディジタルデータの著作権検査プログラムを流通させることができ、かかるプログラムが記録された媒体を取得した者は、容易に著作権検査装置を構築することができる。